(57)【特許請求の範囲】
【請求項１】
音声符号化データと映像符号化データとを多重化して得られた多重データが記録されている第１の記録媒体から、データを読み出して第２の記録媒体に記録する信号処理方法であって、
上記第１の記録媒体から上記多重データを読み出す読出ステップと、
該読み出した多重データに含まれる音声符号化データ及び映像符号化データの少なくとも一方を復号して復号データを生成する復号ステップと、
上記復号データを、上記音声符号化データの符号化処理に用いた第１の符号化方式及び上記映像符号化データの符号化処理に用いた第２の符号化方式とは異なる符号化方式により、再符号化して再符号化データを生成する再符号化ステップと、
該再符号化データを上記第２の記録媒体に記録する記録ステップとを含み、
上記映像符号化データは、映像信号を上記第２の符号化方式としてＭＰＥＧ方式を用いて符号化して得られたものであり、
上記復号ステップは、上記読み出した多重データに含まれる映像符号化データの、少なくとも１フィールドあるいは１フレームに対応する特定部分を復号して、映像復号データを生成するとともに、上記読み出した多重データに含まれる音声符号化データを、その上記特定部分に関連する部分から連続して一定のデータ量だけ復号して、音声復号データを生成するステップであり、
上記再符号化ステップは、上記映像復号データの少なくとも一部をＪＰＥＧ方式により再符号化して映像再符号化データを生成するとともに、上記復号音声データを、上記第１の符号化方式とは異なる第３の符号化方式により再符号化して、音声再符号化データを生成するステップであることを特徴とする信号処理方法。
【請求項２】
前記記録ステップは、上記映像再符号化データと上記音声再符号化データを多重化したＡＶ多重データを上記第２の記録媒体に記録する、請求項１記載の信号処理方法。
【請求項３】
音声符号化データと映像符号化データとを多重化して得られた多重データが記録されている第１の記録媒体から、データを読み出して第２の記録媒体に記録する信号処理方法であって、
上記第１の記録媒体から上記多重データを読み出す読出ステップと、
上記読み出した多重データに含まれる映像符号化データの、少なくとも１フィールドまたは１フレームに対応する特定部分を復号して、映像復号データを生成するとともに、上記読み出した多重データに含まれる音声符号化データを、その上記特定部分に関連する部分から連続して一定のデータ量だけ復号して、音声復号データを生成する復号ステップと、
上記映像復号データの少なくとも一部を、上記映像符号化データの符号化処理に用いたＭＰＥＧ方式とは異なるＪＰＥＧ方式により再符号化して映像再符号化データを生成するとともに、上記復号音声データを、上記音声符号化データの符号化処理に用いた第１の符号化方式とは異なる第３の符号化方式により再符号化して、音声再符号化データを生成する再符号化ステップと、
上記映像再符号化データ及び上記音声再符号化データを上記第２の記録媒体に記録する記録ステップとを含むことを特徴とする信号処理方法。
【請求項４】
前記記録ステップは、上記映像再符号化データと上記音声再符号化データを多重化したＡＶ多重データを上記第２の記録媒体に記録する、請求項３記載の信号処理方法。
【請求項５】
音声符号化データと映像符号化データとを多重化して得られた多重データが記録されている第１の記録媒体から、データを読み出して第２の記録媒体に記録する信号処理装置であって、
上記第１の記録媒体から上記多重データを読み出す読出手段と、
上記読み出した多重データに含まれる映像符号化データの、少なくとも１フィールドまたは１フレームに対応する特定部分を復号して、映像復号データを出力する映像復号手段と、
上記読み出した多重データに含まれる音声符号化データを、その上記特定部分に関連する部分から連続して一定のデータ量だけ復号して、音声復号データを出力する音声復号手段と、
上記映像復号データの少なくとも一部を、上記映像符号化データの符号化処理に用いたＭＰＥＧ方式とは異なるＪＰＥＧ方式により再符号化して映像再符号化データを出力する映像符号化手段と、
上記復号音声データを、上記音声符号化データの符号化処理に用いた第１の符号化方式とは異なる第３の符号化方式により再符号化して、音声再符号化データを生成する音声符号化手段と、
上記映像再符号化データ及び上記音声再符号化データを上記第２の記録媒体に記録する記録手段とを備えたことを特徴とする信号処理装置。
【請求項６】
前記記録手段は、上記映像再符号化データと上記音声再符号化データを多重化したＡＶ多重データを上記第２の記録媒体に記録する、請求項５記載の信号処理装置。
【発明の詳細な説明】
【０００１】
【発明の属する技術分野】
本発明は、信号処理方法及び信号処理装置に関し、特に、デジタル映像データあるいはデジタル音声データをダビングする処理に関するものである。
【０００２】
【従来の技術】
従来、動画映像や音声などのデジタルデータが多重されているＭＰＥＧ（Moving Picture Experts Group）ストリーム（多重符号化データ）のダビングは、ＭＰＥＧストリームの形式を保持したまま行われている。
【０００３】
これは、例えば、映像データがＭＰＥＧ２方式により符号化され、音声データがＭＰＥＧ１方式により符号化されている場合、映像符号化データと音声符号化データとは、両者の同期をとるため、ＭＰＥＧストリームとして多重化されるためである。つまり、ＭＰＥＧストリームに含まれる映像符号化データ及び音声符号化データは、ＭＰＥＧストリームとして一括してダビングするのが最も効率がよい。また、従来、ＭＰＥＧストリームのダビングをそのストリーム形式を保持したまま行っている、その他の理由としては、このようなダビング方法以外のダビング方法が考えられなかったことが挙げられる。
【０００４】
図６は、上記ＭＰＥＧストリームを説明するための図である。
ＭＰＥＧ２方式により符号化された映像データ（映像符号化データ）Ｄvcと、ＡＣ３方式により符号化された音声データ（音声符号化データ）Ｄacは、それぞれＭＰＥＧストリームＤｓとして多重されている。ここでＡＣ３方式は、ＤＶＤ（Digital Versatile Disk）ビデオ規格にて推奨されている音声符号化方式である。このＭＰＥＧストリームＤｓは、具体的には、上記映像符号化データＤvcをこれが音声符号化データＤacと多重化されるよう時間軸圧縮して得られる圧縮映像データＤvtcと、上記音声符号化データＤacを、これが映像符号化データＤvcと多重化されるよう時間軸圧縮して得られる圧縮音声データＤatcとを含むものである。
【０００５】
つまり、上記映像符号化データＤvcは、規定のデータ単位（ＧＯＰ）毎に区分されたデータ構造を有しており、例えば、図６に示すように、第１のＧＯＰ（Group of Pictures）を構成する第１番目〜第１６番目の映像フレームＦ１〜Ｆ１６に対応する映像符号化データＤvc1、及び第２のＧＯＰを構成する第１７番目〜第３２番目の映像フレームＦ１７〜Ｆ３２に対応する映像符号化データＤvc2を含んでいる。また、圧縮映像データＤvtcは、図６に示すように、第１のＧＯＰに対応する時間軸圧縮データＶ１〜Ｖ３、及び第２のＧＯＰに対応する時間軸圧縮データＶ４〜Ｖ６を含んでいる。
【０００６】
ここで、時間軸圧縮データＶ１は、上記第１のＧＯＰに対応する映像符号化データＤvc1の前方部をまとめて時間軸圧縮して得られたもの、時間軸圧縮データＶ２は、上記映像符号化データＤvc1の中間部をまとめて時間軸圧縮して得られたもの、時間軸圧縮データＶ３は、上記映像符号化データＤvc1の後方部をまとめて時間軸圧縮して得られたものである。また、時間軸圧縮データＶ４は、上記第２のＧＯＰに対応する映像符号化データＤvc2の前方部をまとめて時間軸圧縮して得られたもの、時間軸圧縮データＶ５は、上記映像符号化データＤvc2の中間部をまとめて時間軸圧縮して得られたもの、時間軸圧縮データＶ６は、上記映像符号化データＤvc2の後方部をまとめて時間軸圧縮して得られたものである。
【０００７】
なお、上記第１のＧＯＰに対応する映像符号化データＤvc1におけるＩデータ（画面内符号化データ）は、フレームＦ１に対応するものであり、フレームＦ２〜Ｆ１６に対応するＰ，Ｂデータ（画面間符号化データ）は、上記フレームＦ１に対応するＩデータに続いて配列されている。また、上記第２のＧＯＰに対応する映像符号化データＤvc2におけるＩデータ（画面内符号化データ）は、フレームＦ１７に対応するものであり、フレームＦ１８〜Ｆ３２に対応するＰ，Ｂデータ（画面間符号化データ）は、上記フレームＦ１７に対応するＩデータに続いて配列されている。
【０００８】
また、圧縮音声データＤatcは、図６に示すように、第１のＧＯＰに対応する時間軸圧縮データＡ１〜Ａ３、及び第２のＧＯＰに対応する時間軸圧縮データＡ４〜Ａ６を含んでいる。
ここで、時間軸圧縮データＡ１，Ａ２，Ａ３はそれぞれ、上記音声符号化データＤacの、上記圧縮映像データＤvtcにおける時間軸圧縮データＶ１，Ｖ２，Ｖ３に概ね対応する部分を時間軸圧縮して得られたものである。また、時間軸圧縮データＡ４，Ａ５，Ａ６はそれぞれ、上記音声符号化データＤacの、上記圧縮映像データＤvtcにおける時間軸圧縮データＶ４，Ｖ５，Ｖ６に概ね対応する部分を時間軸圧縮して得られたものである。
【０００９】
図７は、従来の信号処理装置を用いたダビング処理を説明するためのブロック図であり、従来の信号処理装置としてＤＶＤプレーヤ及びＤＶＤレコーダを示している。
まず、従来の信号処理装置であるＤＶＤプレーヤ２０１について説明する。
このＤＶＤプレーヤ２０１は、第１の記録媒体である光ディスク１を制御信号Ｃｄ１に基づいて駆動する駆動手段１０と、該光ディスク１からデータＤｓを読み出す処理を、制御信号Ｃroに基づいて行う読出手段２とを有している。ここで、上記光ディスク１には、多重された映像符号化データと音声符号化データがＭＰＥＧストリームＤｓとして記録されている。ＭＰＥＧストリームには、トランスポートストリーム（ＴＳ）とプログラムストリーム（ＰＳ）があり、いずれのストリームにおいても、映像符号化データと音声符号化データとは、該両データを同期させて再生できるように時間軸圧縮されて多重化されている。
【００１０】
上記ＤＶＤプレーヤ２０１は、光ディスク１から読み出されたＭＰＥＧストリームＤｓを受け、該ＭＰＥＧストリームＤｓに含まれる、ＭＰＥＧ２方式により符号化された映像符号化データを復号して、ベースバンド（非圧縮）の映像信号Ｄvdを出力する映像復号手段３と、光ディスク１から読み出されたＭＰＥＧストリームＤｓを受け、該ＭＰＥＧストリームＤｓに含まれる、ＡＣ３方式により符号化された音声符号化データを復号して、ベースバンド（非圧縮）のＰＣＭ（pulse-code modualtion）音声信号Ｄadを出力する音声復号手段５とを有している。
【００１１】
上記ＤＶＤプレーヤ２０１は、上記映像復号手段３の出力であるベースバンド映像信号ＤvdをＤＡ変換してアナログ映像信号Ｓｖを出力するＤＡコンバータ１１と、該アナログ映像信号Ｓｖに基づいて画像表示を行うＴＶモニタ１２と、上記音声復号手段５の出力であるベースバンド音声信号ＤadをＤＡ変換してアナログ音声信号Ｓａを出力するコンバータ１３と、該アナログ音声信号Ｓａに基づいて音声出力を行うスピーカ１４とを有している。
【００１２】
上記ＤＶＤプレーヤ２０１は、ユーザの操作部１５と、該操作部１５にて発生された操作信号Ｓop1に基づいて、上記駆動手段１０及び読出手段２への制御信号Ｃｄ１及びＣro、並びにその他の手段３，５及びＤ／Ａコンバータ１１，１３への制御信号（図示せず）を出力する制御手段９と、上記アナログ映像信号Ｓｖ及びアナログ音声信号Ｓａを、上記プレーヤ外部に出力するための出力端子２０１ａ及び２０１ｂと有している。
【００１３】
次に、従来の信号処理装置であるＤＶＤレコーダ２０２について説明する。
このＤＶＤレコーダ２０２は、アナログ映像信号Ｓｖ及びアナログ音声信号Ｓａを入力するための入力端子２０２ａ及び２０２ｂと、アナログ映像信号Ｓｖをベースバンドのデジタル映像信号Ｄｖに変換するＡ／Ｄコンバータ２１と、アナログ音声信号Ｓａをベースバンドのデジタル音声信号Ｄａに変換するＡ／Ｄコンバータ２２と有している。
【００１４】
上記ＤＶＤレコーダ２０２は、上記ベースバンド映像信号Ｄｖを符号化して映像符号化データＤvcを出力する映像符号化手段２３と、上記ベースバンドの音声信号Ｄａを符号化して音声符号化データＤacを出力する音声符号化手段２４とを有している。
【００１５】
上記ＤＶＤレコーダ２０２は、第２の記録媒体である光ディスク２６を制御信号Ｃｄ２に基づいて駆動する駆動手段２７と、上記映像符号化データＤvcと音声符号化データＤacとを、制御信号Ｃreに基づいて多重化してＭＰＥＧストリームＤｗとして光ディスク２６に記録する記録手段２５とを有している。
【００１６】
上記ＤＶＤレコーダ２０２は、ユーザの操作部２９と、該操作部２９にて発生された操作信号Ｓop２に基づいて、上記駆動手段２７及び記録手段２５への制御信号Ｃre及びＣd2、並びにその他の手段２３，２４及びＡ／Ｄコンバータ２１，２２への制御信号（図示せず）を出力する制御手段２８とを有している。
【００１７】
次に動作について説明する。
まず、ＤＶＤプレーヤ２０１の動作について説明する。
このＤＶＤプレーヤ２０１では、ユーザの操作により、第１の記録媒体である光ディスク１に記録されているデータを再生する処理が選択されると、ＤＶＤプレーヤ２０１の各手段では、制御手段９からの制御信号に基づいてデータ再生処理が行われる。
【００１８】
つまり、まず、光ディスク１が、制御信号Ｃd1により制御される駆動手段１０により駆動され、読出手段２により該光ディクス１からデータＤｓが読み出される。読み出されたデータＤｓは、読出手段２から映像復号手段３及び音声復号手段５に供給される。
【００１９】
具体的には、上記映像復号手段３及び音声復号手段５には、上記データＤｓとして、ＭＰＥＧ２方式の映像符号化データとＡＣ３方式の音声符号化データとを含むＭＰＥＧストリームが供給される。
すると、映像復号手段３では、ＭＰＥＧストリームＤｓに含まれるＭＰＥＧ２方式の映像符号化データを抽出して復号する映像復号処理が行われ、該映像復号処理によりベースバンドの映像信号Ｄvdが生成される。この映像信号ＤvdはＤ／Ａコンバータ１１に出力される。
このＤ／Ａコンバータ１１では、映像信号Ｄvdをアナログ映像信号Ｓｖに変換するＤ／Ａ変換処理が行われ、アナログ映像信号ＳｖがＴＶモニタ１２に出力される。ＴＶモニタ１２では、アナログ映像信号Ｓｖに基づいて画像表示が行われる。
【００２０】
また、上記のように映像符号化データの再生と同時に、音声復号手段５では、ＭＰＥＧストリームＤｓに含まれるＡＣ３方式の音声符号化データを抽出して復号する音声復号処理が行われ、該音声復号処理によりベースバンドＰＣＭの音声信号Ｄadが生成される。この音声信号ＤadはＤ／Ａコンバータ１３に出力される。
このＤ／Ａコンバータ１３では、音声信号Ｄadをアナログ音声信号Ｓａに変換するＤ／Ａ変換処理が行われ、アナログ音声信号Ｓａがスピーカ１４に出力される。スピーカ１４では、アナログ音声信号Ｓａに基づいて音声再生が行われる。また、上記のように映像符号化データ及び音声符号化データの再生中には、ＤＶＤプレーヤ２０１の出力端子２０１ａ及び２０１ｂには、それぞれアナログ映像信号Ｓｖ及びアナログ音声信号Ｓａが出力される。
【００２１】
次に上記ＤＶＤプレーヤ２０１及びＤＶＤレコーダ２０２を用いて、第１の記録媒体である光ディスク１に記録されているデータを第２の記録媒体である光ディスク２６に記録するダビング処理について説明する。
上記ダビング処理を行う前に予め、ＤＶＤプレーヤ２０１の出力端子２０１ａ及び２０１ｂを、それぞれＤＶＤレコーダ２０２の対応する入力端子２０２ａ及び２０２ｂに接続しておく。
【００２２】
ＤＶＤプレーヤ２０１では、ユーザ操作部１５から操作信号Ｓop1が制御手段９に供給されると、各部を制御するための制御信号が出力される。また、ＤＶＤレコーダ２０２では、ユーザ操作部２９から操作信号Ｓop２が制御手段２８に供給されると、各部を制御するための制御信号が出力される。
そして、ＤＶＤプレーヤ２０１では、上記のように、光ディスク１に記録されているＭＰＥＧストリームの再生処理が行われ、ＭＰＥＧストリームの再生処理により得られたアナログ映像信号Ｓｖ及びアナログ音声信号Ｓａが出力される。一方、ＤＶＤレコーダ２０２では、ＤＶＤプレーヤ２０１から出力されたアナログ映像信号Ｓｖ及びアナログ音声信号ＳａのＡＤ変換、符号化及び多重化を行って、該多重化により生成されたデータを記録する記録処理が行われる。
【００２３】
つまり、上記ＤＶＤプレーヤ２０１では、光ディスク１に記録されているＭＰＥＧストリームの再生処理が行われ、ＭＰＥＧストリームの再生処理により得られたアナログ映像信号Ｓｖ及びアナログ音声信号Ｓａが、ＤＶＤプレーヤ２０１の出力端子２０１ａ及び２０１ｂから、ＤＶＤレコーダ２０２の入力端子２０２ａ及び２０２ｂに出力される。
上記ＤＶＤレコーダ２０２では、入力端子２０２ａに入力されたアナログ映像信号ＳｖはＡ／Ｄコンバータ２１によりデジタル映像信号Ｄｖに変換され、映像符号化手段２３に供給される。また、入力端子２０２ｂに入力されたアナログ音声信号ＳａはＡ／Ｄコンバータ２２によりデジタル音声信号Ｄａに変換され、音声符号化手段２４に供給される。
【００２４】
映像符号化手段２３では、デジタル映像信号Ｄｖの符号化処理により映像符号化データＤvcが生成され、音声符号化手段２４では、デジタル音声信号Ｄａの符号化処理により音声符号化データＤacが生成され、映像符号化データＤvc及び音声符号化データＤacが記録手段２５に供給される。
そして、上記映像符号化データＤvc及び音声符号化データＤacは、記録手段２５により多重化されて光ディスク２５に記録される。
このようにして、第１の記録媒体である光ディスク１に記録されているＭＰＥＧストリームを第２の記録媒体である光ディスク２６に記録するダビング処理が行われる。
【００２５】
【発明が解決しようとする課題】
ところで近年、半導体メモリ等の携帯用記録媒体が普及しつつあり、このような携帯用記録媒体に動画映像や音声などのデジタルデータをダビングする場合も考えられる。
【００２６】
このような半導体メモリ等の携帯用記録媒体に対するダビング処理では、ＭＰＥＧストリームとして多重化されている映像データ及び音声データの全体を記録するのではなく、該映像データ及び音声データの一部、あるいは映像データ及び音声データのいずれか一方のみを選択的に記録することが要求される場合がある。
【００２７】
ところが、この場合、ＭＰＥＧストリームをそのストリーム形式を保持しつつダビングするという従来の手法では、ＭＰＥＧストリームとして多重化されている映像データ及び音声データの一部、あるいは該映像データ及び音声データの一方のみを適切に記録することは困難であるという問題があった。
【００２８】
本発明は、上記のような問題点を解決するためになされたものであり、ＭＰＥＧストリームとして多重化されて記録されている音声データ及び映像データの所要部分を、ユーザの指定に応じて選択してダビングすることができる信号処理方法及び信号処理装置を得ることを目的とする。
【００２９】
【課題を解決するための手段】
この発明（請求項１）に係る信号処理方法は、音声符号化データと映像符号化データとを多重化して得られた多重データが記録されている第１の記録媒体から、データを読み出して第２の記録媒体に記録する信号処理方法であって、上記第１の記録媒体から上記多重データを読み出す読出ステップと、該読み出した多重データに含まれる音声符号化データ及び映像符号化データの少なくとも一方を復号して復号データを生成する復号ステップと、上記復号データを、上記音声符号化データの符号化処理に用いた第１の符号化方式及び上記映像符号化データの符号化処理に用いた第２の符号化方式とは異なる符号化方式により、再符号化して再符号化データを生成する再符号化ステップと、該再符号化データを上記第２の記録媒体に記録する記録ステップとを含み、上記映像符号化データは、映像信号を上記第２の符号化方式としてＭＰＥＧ方式を用いて符号化して得られたものであり、上記復号ステップは、上記読み出した多重データに含まれる映像符号化データの、少なくとも１フィールドあるいは１フレームに対応する特定部分を復号して、映像復号データを生成するとともに、上記読み出した多重データに含まれる音声符号化データを、その上記特定部分に関連する部分から連続して一定のデータ量だけ復号して、音声復号データを生成するステップであり、上記再符号化ステップは、上記映像復号データの少なくとも一部をＪＰＥＧ方式により再符号化して映像再符号化データを生成するとともに、上記復号音声データを、上記第１の符号化方式とは異なる第３の符号化方式により再符号化して、音声再符号化データを生成するステップであることを特徴とするものである。
【００３０】
この発明（請求項２）は、請求項１記載の信号処理方法において、前記記録ステップは、上記映像再符号化データと上記音声再符号化データを多重化したＡＶ多重データを上記第２の記録媒体に記録することを特徴とするものである。
【００３７】
この発明（請求項３）に係る信号処理方法は、音声符号化データと映像符号化データとを多重化して得られた多重データが記録されている第１の記録媒体から、データを読み出して第２の記録媒体に記録する信号処理方法であって、上記第１の記録媒体から上記多重データを読み出す読出ステップと、上記読み出した多重データに含まれる映像符号化データの、少なくとも１フィールドまたは１フレームに対応する特定部分を復号して、映像復号データを生成するとともに、上記読み出した多重データに含まれる音声符号化データを、その上記特定部分に関連する部分から連続して一定のデータ量だけ復号して、音声復号データを生成する復号ステップと、上記映像復号データの少なくとも一部を、上記映像符号化データの符号化処理に用いたＭＰＥＧ方式とは異なるＪＰＥＧ方式により再符号化して映像再符号化データを生成するとともに、上記復号音声データを、上記音声符号化データの符号化処理に用いた第１の符号化方式とは異なる第３の符号化方式により再符号化して、音声再符号化データを生成する再符号化ステップと、上記映像再符号化データ及び上記音声再符号化データを上記第２の記録媒体に記録する記録ステップとを含むことを特徴とするものである。
この発明（請求項４）は、請求項３記載の信号処理方法において、前記記録ステップは、上記映像再符号化データと上記音声再符号化データを多重化したＡＶ多重データを上記第２の記録媒体に記録することを特徴とするものである。
【００４０】
この発明（請求項５）に係る信号処理装置は、音声符号化データと映像符号化データとを多重化して得られた多重データが記録されている第１の記録媒体から、データを読み出して第２の記録媒体に記録する信号処理装置であって、上記第１の記録媒体から上記多重データを読み出す読出手段と、上記読み出した多重データに含まれる映像符号化データの、少なくとも１フィールドまたは１フレームに対応する特定部分を復号して、映像復号データを出力する映像復号手段と、上記読み出した多重データに含まれる音声符号化データを、その上記特定部分に関連する部分から連続して一定のデータ量だけ復号して、音声復号データを出力する音声復号手段と、上記映像復号データの少なくとも一部を、上記映像符号化データの符号化処理に用いたＭＰＥＧ方式とは異なるＪＰＥＧ方式により再符号化して映像再符号化データを出力する映像符号化手段と、上記復号音声データを、上記音声符号化データの符号化処理に用いた第１の符号化方式とは異なる第３の符号化方式により再符号化して、音声再符号化データを生成する音声符号化手段と、上記映像再符号化データ及び上記音声再符号化データを上記第２の記録媒体に記録する記録手段とを備えたことを特徴とするものである。
この発明（請求項６）は、請求項５記載の信号処理方法において、前記記録手段は、上記映像再符号化データと上記音声再符号化データを多重化したＡＶ多重データを上記第２の記録媒体に記録することを特徴とするものである。
【００４２】
【発明の実施の形態】
以下、本発明の実施の形態について説明する。
（実施の形態１）
図１は、本発明の実施の形態１による信号処理装置を説明するためのブロック図である。
この実施の形態１の信号処理装置１０１は、ＡＶ（オーディオビデオ）データを処理するものである。
【００４３】
すなわち、この信号処理装置１０１は、第１の記録媒体である光ディスク１を駆動する駆動手段１０と、該光ディスク１からデータＤｓを読み出す読出手段２とを有している。ここで、上記光ディスク１には、上記データＤｓとしてＭＰＥＧストリームが記録されている。ＭＰＥＧストリームには、トランスポートストリーム（ＴＳ）とプログラムストリーム（ＰＳ）があり、いずれのストリームにおいても、映像符号化データと音声符号化データとが、該両データの同期再生が可能となるよう時間軸圧縮されて多重化されている。
【００４４】
上記信号処理装置１０１は、読出手段２により光ディスク１から読み出されたデータ（ＭＰＥＧストリーム）Ｄｓを受け、該ＭＰＥＧストリームＤｓに含まれる、ＭＰＥＧ２方式により符号化された映像符号化データを復号して、ベースバンドの映像信号Ｄvdを出力する映像復号手段３と、光ディスク１から読み出されたＭＰＥＧストリームＤｓを受け、該ＭＰＥＧストリームＤｓに含まれる、ＡＣ３方式により符号化された音声符号化データを復号して、ベースバンドのＰＣＭ音声信号Ｄadを出力する音声復号手段５とを有している。
【００４５】
上記信号処理装置１０１は、上記ベースバンドの映像信号Ｄvdを受け、上記ベースバンドの映像信号Ｄvdの、制御信号Ｃvcにより指定された部分を符号化して、映像再符号化データＤvrcを出力する映像符号化手段４と、上記ベースバンドの音声信号Ｄadを受け、上記ベースバンドの音声信号Ｄadの、制御信号Ｃacにより指定された部分を符号化して、音声再符号化データＤarcを出力する音声符号化手段６とを有している。
【００４６】
上記信号処理装置１０１は、上記映像符号化手段４から出力された映像再符号化データＤvrc及び上記音声符号化手段６から出力された音声再符号化データＤarcを、制御信号Ｃreに基づいて、第２の記録媒体であるメモリカード８に記録する記録手段７と、ユーザの操作により発生された操作信号Ｓopに基づいて、上記各手段を制御する、制御信号Ｃvc，Ｃac，Ｃreなどを発生する制御手段９ａとを有している。
【００４７】
ここで、上記記録手段７は、上記映像符号化手段４からの映像再符号化データＤvrc及び上記音声符号化手段６からの音声再符号化データＤarcを時間軸圧縮して多重化する多重化部（図示せず）を有し、該多重化された映像再符号化データ及び音声再符号化データをＡＶ多重データＤｗとしてメモリカード８に記録するものである。なお、この記録手段７は、映像再符号化データ及び音声再符号化データを多重化するものである必要はなく、映像再符号化データ及び音声再符号化データを、それぞれメモリカード８の対応する領域に記録するものであってもよい。
【００４８】
また、上記映像符号化手段４に供給される制御信号Ｃvcは、ベースバンドの映像信号Ｄvdの、再符号化すべき部分を指定するものであり、また上記音声符号化手段６に供給される制御信号Ｃacは、ベースバンドの音声信号Ｄadの、再符号化すべき部分を指定するものである。図１では、上記制御手段９ａからの駆動手段１０、読出手段２、及び記録手段７へ出力される制御信号は図示していない。
【００４９】
さらに、上記映像符号化手段４は、上記ベースバンドの映像信号Ｄvdの、指定された１フレームに対応する部分を、ＭＰＥＧ２方式とは異なる符号化方式であるＪＰＥＧ（Joint Photographic Coding Experts Group）方式により符号化するものである。また、上記音声符号化手段６は、上記ベースバンドの音声信号Ｄadを、上記指定された１フレームの映像に関連する数フレームに渡って、メモリカード８に適した音声符号化方式であるＡＡＣ（Advanced Audio Coding）方式により符号化するものである。
【００５０】
そして、上記信号処理装置１０１は、上記映像復号手段３の出力であるベースバンド映像信号ＤvdをＤＡ変換してアナログ映像信号Ｓｖを出力するＤ／Ａコンバータ１１と、該アナログ映像信号Ｓｖに基づいて画像表示を行うＴＶモニタ１２と、上記音声復号手段５の出力であるベースバンド音声信号ＤadをＤＡ変換してアナログ音声信号Ｓａを出力するＤ／Ａコンバータ１３と、該アナログ音声信号Ｓａに基づいて音声出力を行うスピーカ１４とを有している。
【００５１】
なお、この実施の形態１の信号処理装置１０１を構成する読出手段２，映像復号手段３，音声復号手段５，映像符号化手段４，音声符号化手段６，記録手段７，制御手段９ａ，Ｄ／Ａコンバータ１１及び１３は、ハードウエアにより実現しても、あるいはソフトウエアにより実現してもよいが、ここでは、これらは、ソフトウエアにより実現されている。
【００５２】
次に動作について説明する。
図２は、光ディスク１に記録されているＭＰＥＧストリーム、及びメモリカード８に記録される、多重化された再符号化データＤｗを説明するための図であり、図２に示す、映像符号化データＤvc，圧縮映像データＤvtc，音声符号化データＤac，圧縮音声データＤatc，及びＭＰＥＧストリームＤｓは、図６に示すものと同一のものである。
【００５３】
この実施の形態１の信号処理装置１０１では、ユーザの操作により、第１の記録媒体である光ディスク１に記録されているデータを第２の記録媒体であるメモリカード８にダビングする処理の実行を示す操作信号Ｓopが、ユーザ操作部１５から制御手段９ａに出力されると、信号処理装置１０１の各手段では、制御手段９ａからの制御信号に基づいてダビング処理が行われる。なお、この実施の形態１の信号処理装置１０１では、光ディスク１に記録されているデータを再生する処理として、図７に示す従来のＤＶＤプレーヤ２０１におけるデータ再生処理と全く同一の処理が行われる。
【００５４】
つまり、まず、光ディスク１が駆動手段１０により駆動され、読出手段２により該光ディクス１からデータＤｓが読み出され、該読み出されたデータＤｓが映像復号手段３及び音声復号手段５に供給される。
具体的には、上記映像復号手段３及び音声復号手段５には、上記データＤｓとして、ＭＰＥＧ２方式の映像符号化データとＡＣ３方式の音声符号化データとを含むＭＰＥＧストリームが供給される。
【００５５】
すると、映像復号手段３では、ＭＰＥＧストリームＤｓからＭＰＥＧ２方式の映像符号化データＤevcを抽出して復号する映像復号処理が行われ、該映像復号処理によりベースバンドのデジタル映像信号Ｄvdが生成される。このデジタル映像信号ＤvdはＤ／Ａコンバータ１１及び映像符号化手段４に出力される。
該Ｄ／Ａコンバータ１１では、デジタル映像信号ＤvdはＤ／Ａ変換処理によりアナログ映像信号Ｓｖに変換され、ＴＶモニタ１２に出力される。ＴＶモニタ１２では、アナログ映像信号Ｓｖに基づいて画像表示が行われる。
【００５６】
また、映像符号化手段４では、制御手段９ａからの制御信号Ｃvcに基づいて、ベースバンドのデジタル映像信号Ｄvdにおける、該制御信号Ｃvcにより指定された部分を符号化する再符号化処理が行われる。例えば、映像符号化手段４では、上記再符号化処理として、ユーザが選択した１フレームの画像に相当するデジタル映像信号ＤvdをＪＰＥＧ方式により符号化して映像再符号化データＤvrcを生成する処理が行われる。
【００５７】
また、音声復号手段５では、ＭＰＥＧストリームＤｓからＡＣ３方式の音声符号化データＤeacを抽出して復号する音声復号処理が行われ、該音声復号処理によりベースバンドのＰＣＭデジタル音声信号Ｄadが生成される。このデジタル音声信号ＤadはＤ／Ａコンバータ１３及び音声符号化手段６に出力される。
該Ｄ／Ａコンバータ１３では、デジタル音声信号ＤadはＤ／Ａ変換処理によりアナログ音声信号Ｓａに変換され、スピーカ１４に出力される。スピーカ１４では、アナログ音声信号Ｓａに基づいて音声再生が行われる。
【００５８】
また、音声符号化手段６では、制御手段９ａからの制御信号Ｃacに基づいて、ベースバンドのデジタル音声信号Ｄadにおける、制御信号Ｃacにより指定された部分を符号化する再符号化処理が行われる。例えば、音声符号化手段６では、ユーザが選択した１映像フレームの画像に関連する、該映像フレームから数フレームにわたって連続した音声信号Ｄadを、ＡＡＣ方式により符号化して音声再符号化データＤarcを生成する処理が行われる。なお、上記音声符号化手段６では、音声信号Ｄadを、上記ＡＡＣ方式ではなく、ＭＰ３（MPEG-1 audio layer3）方式により符号化してもよい。
【００５９】
上記映像符号化手段４にて生成された映像再符号化データＤvrc及び上記音声符号化手段６にて生成された音声再符号化データＤarcは記録手段７に供給され、映像再符号化データＤvrc及び音声再符号化データＤarcは該記録手段７にて多重化されて第２の記録媒体であるメモリカード８に記録される。
【００６０】
以下、上記ダビング処理におけるユーザのデータ指定方法、及びユーザの指定に基づいてメモリカード８に記録されるデータについて具体的に説明する。
ユーザは、ＴＶモニタ１２に、ユーザが記録したい画像（例えば第１のフレームＦ１の画像）が表示されたとき、一定の記録操作を行うと、制御手段９ａでは、その操作により発生した操作信号に基づいて、上記映像符号化手段４及び音声符号化手段６に対する制御信号Ｃvc及びＣacが生成され、該両手段に供給される。
すると、映像符号化手段４では、ベースバンド映像信号Ｄvdとして入力された、上記第１のフレームＦ１に対応する映像信号Ｓ１のみ符号化する処理が行われ、１フレームの映像信号に対応する映像再符号化データＪ１が記録手段７に出力される。
【００６１】
また、このとき、音声符号化手段６では、上記符号化処理が施されたフレームから数フレームにわたる、例えばフレームＦ１〜Ｆ８にわたる映像信号に対応する音声信号Ｂa1を符号化する再符号化処理が行われ、該再符号化処理により得られた音声再符号化データＰ１が上記記録手段７に出力される。
そして、上記記録手段７により、上記１フレームの画像に対応する映像再符号化データＪ１と、これに対応する音声再符号化データＰ１とが、同期再生されるよう対応付けられて、メモリカード８に記録される。
【００６２】
また、第９のフレームＦ９の画像が表示されたとき、ユーザが一定の記録操作を行った場合は、ベースバンド映像信号Ｄvdにおける、第９フレームに対応する映像信号Ｓ９が符号化され、また、該第９フレームに関連するベースバンド音声信号Ｄadとして、例えば、図２に示すように第９〜第１８フレームに対応する音声信号Ｂa2が符号化される。そして、第９フレームに対応する映像再符号化データＪ９及び第９〜第１８フレームに対応する音声再符号化データＰ２が記録手段７に出力される。
また、この実施の形態１では、上記のような記録操作を行った場合でも、ＴＶモニタ１２及びスピーカ１４では、各フレームに対応する画像及び音声の再生が順次行われる。
【００６３】
このように本実施の形態１の信号処理装置１０１では、第１の記録媒体である光ディスク１に記録されているＭＰＥＧストリームＤｓを読み出す読出手段２と、読み出されたＭＰＥＧストリームＤｓに含まれる、ＭＰＥＧ２方式の映像符号化データを復号する映像復号手段３と、読み出されたＭＰＥＧストリームに含まれる、ＡＡＣ方式の音声符号化データを復号する音声復号手段５とを備え、ユーザ操作により指定されたフレームの画像に対応する映像復号データ及びこれに対応する音声復号データをそれぞれ、ＪＰＥＧ方式及びＡＡＣ方式（あるいはＭＰ３方式）により再符号化して、第２の記録媒体であるメモリカード８に記録するので、光ディスク１に記録されているＭＰＥＧストリームＤｓの特定の部分の映像符号化データ及び音声符号化データを、符号化方式を変換してダビングすることができる。この結果、ユーザは、メモリカード８に記録されている映像符号化データ及び音声符号化データを再生することにより、指定した１フレームの静止画を見ながら、それに関連する音声を数フレームにわたって視聴することが可能となる。
【００６４】
なお、上記実施の形態１では、ユーザが指定した１フレームの映像符号化データ（例えば、映像復号データをＪＰＥＧ方式により再符号化して得られたもの）と、これに関連する数フレームにわたる音声符号化データとを記録する場合について説明したが、上記１フレームの映像符号化データとともに記録される音声符号化データは、該１フレームの映像符号化データに関連する数フレームにわたる音声符号化データに限るものではない。
例えば、ユーザが指定した１フレームの映像符号化データに関連する音声符号化データとして、数分にわたる音声符号化データを記録してもよく、さらに、上記１フレームに関連する音声符号化データとして、３分から５分程度の長さの楽曲に対応する音声符号化データを１曲分すべて記録するようにしてもよい。
【００６５】
また、上記実施の形態１では、ユーザが指定した１フレームの映像符号化データと、これに関連する数フレームにわたる音声符号化データとを記録する場合について説明したが、ベースバンドの映像信号がインターレース信号である場合には、ユーザが指定した１フィールドの映像符号化データと、これに関連する数フィールドにわたる音声符号化データとを記録するようにしてもよい。
【００６６】
また、上記実施の形態１では、信号処理装置として、ユーザが指定した１フレームの画像（つまり静止画）に対応する映像符号化データと、これに関連する数フレームにわたる音声符号化データとを記録するものを示したが、信号処理装置は、ユーザが指定した数フレームの画像（つまり動画像）と、これに関連する数フレームにわたる音声符号化データとを記録するものであってもよい。
【００６７】
例えば、信号処理装置は、図２に示すように、ユーザが第２０〜第２５のフレームＦ２０〜Ｆ２５を指定した場合、これらのフレームに対応する映像信号Ｓ２０〜Ｓ２５をＭＰＥＧ１方式により符号化して得られる映像符号化データＭ１と、上記フレームＦ２０〜Ｆ２５に対応する音声信号Ｂa3をＡＡＣ方式により符号化して得られる音声符号化データＣ１とを、記録手段７により多重化してメモリカード８に記録するものであってもよい。また、このような信号処理装置では、ユーザが第２６〜第３１のフレームＦ２６〜Ｆ３１を指定した場合、これらのフレームに対応する映像信号Ｓ２６〜Ｓ３１をＭＰＥＧ１方式により符号化して得られる映像符号化データＭ２と、上記フレームＦ２６〜Ｆ３１に対応する音声信号Ｂa4をＡＡＣ方式により符号化して得られる音声符号化データＣ２とが、記録手段７により多重化されてメモリカード８に記録されることとなる。
【００６８】
また、上記実施の形態１では、ベースバンドの映像信号をＤ／Ａ変換してアナログ映像信号を出力するＤＡコンバータ１１、及びアナログ映像信号を入力信号とするＴＶモニタ１２、ベースバンドの音声信号をＤ／Ａ変換してアナログ音声信号を出力するＤＡコンバータ１３、及びアナログ音声信号を入力信号とするスピーカ１４を備え、復号された映像信号及び音声信号をモニタするようにしているが、必ずしも復号された映像信号と音声信号の両方をモニタする必要はない。例えば、信号処理装置は、上記ＤＡコンバータ１１,１３、ＴＶモニタ１２及びスピーカ１４のうちＤＡコンバータ１１及びＴＶモニタ１２のみ備え、復号された映像信号のみモニタするものであってもよい。
【００６９】
さらに、上記実施の形態１では、信号処理装置として、第１の記録媒体に記録されているＭＰＥＧストリームをダビングする際、該ＭＰＥＧストリームに含まれる映像符号化データ及び音声符号化データを、両方とも再符号化して記録するものを示したが、上記信号処理装置は、ＭＰＥＧストリームのダビング処理として、上記映像符号化データ及び音声符号化データの一方を再符号化して、それらの他方を再符号化せずにそのまま記録する処理を行うものであってもよい。
【００７０】
また、上記実施の形態１では、信号処理装置として、フレームＦ１に対応する映像符号化データＪ１、及びフレームＦ１〜Ｆ８に対応する音声符号化データＰ１を記録する際、ＴＶモニタ１２では、上記フレームＦ１以降の各フレームの画像を順次表示するようにしているが、信号処理装置は、ＴＶモニタ１２では、制御手段９ａからの制御信号に基づいて、ユーザが指定したフレームＦ１に対応する画像の表示を一定時間（例えば５秒間）保持し、その後、フレームＦ２以降の各フレームの画像を順次表示するものであってもよい。
【００７１】
また、上記実施の形態１では、フレームＦ１に対応する映像符号化データＪ１、及びフレームＦ１〜Ｆ８に対応する音声符号化データＢa1を記録する処理を、ユーザがＴＶモニタ１２での画像表示を見ながらリアルタイムで行う場合を示したが、ユーザ指定のフレームの映像信号及び対応する数フレームの音声信号の記録処理は、１つの画像シーケンスに対応する動画像をすべて見終わった後に、ユーザが所望する個所を、再生時刻などにより指定することにより、行うようにしてもよい。
【００７２】
（実施の形態２）
図３は、本発明の実施の形態２による信号処理装置を説明するためのブロック図である。
この実施の形態２の信号処理装置１０２は、上記実施の形態１の信号処理装置１０１における音声復号手段５及び音声符号化手段６に代えて、光ディスク１から読み出されたＭＰＥＧストリームＤｓから音声符号化データＤacを抽出して、記録手段７に出力する音声データ抽出手段１６と、上記ＭＰＥＧストリームＤｓを受け、該ストリームに含まれる音声符号化データＤacを抽出し、該音声符号化データＤacを復号して音声復号データＤadを上記Ｄ／Ａコンバータ１３に出力する音声復号手段５ａとを備えたものである。また、この実施の形態２の信号処理装置１０２における制御手段９ｂは、実施の形態１における音声符号化手段６に対する制御信号Ｃacに代えて、上記音声データ抽出手段１６に対する制御信号Ｃaeを出力する点のみ、実施の形態１の制御手段９ａと異なっている。
そして、この実施の形態２の信号処理装置１０２におけるその他の部分は、実施の形態１の信号処理装置１０１におけるものと同一である。
【００７３】
次に動作について説明する。
このような構成の信号処理装置１０２では、ユーザの操作により、第１の記録媒体である光ディスク１に記録されているデータを第２の記録媒体であるメモリカード８にダビングする処理が指令されると、信号処理装置１０２では、ユーザの操作により指定された映像符号化データ及び音声符号化データが、第２の記録媒体であるメモリカード８に記録される。
なお、この実施の形態２の信号処理装置１０２では、光ディスク１に記録されているデータを再生する処理は、実施の形態１の信号処理装置１０１におけるものと全く同一である。
【００７４】
以下、この実施の形態２のダビング処理について説明する。
上記信号処理装置１０２では、制御手段９ｂからの制御信号に基づいて、光ディスク１からＭＰＥＧストリームＤｓが読み出され、該ＭＰＥＧストリームＤｓに含まれる映像符号化データ及び音声符号化データはそれぞれ、映像復号手段３及び音声復号手段５ａにて復号される。そして、映像復号データＤvd及び音声復号データＤadはそれぞれＤ／Ａコンバータ１１及び１３にてＤＡ変換されて、アナログ映像信号Ｓｖ及びアナログ音声信号ＳａはそれぞれＴＶモニタ１２及びスピーカ１４に出力される。
【００７５】
このとき、映像符号化手段４では、制御手段９ｂからの制御信号Ｃvcに基づいて、ベースバンドの映像信号Ｄvdにおける、該制御信号Ｃvcにより指定された部分を符号化する再符号化処理が行われ、該再符号化処理により得られた映像符号化データＤvrcが記録手段７に出力される。また、音声データ抽出手段１６では、制御手段９ｂからの制御信号Ｃaeに基づいて、ＭＰＥＧストリームＤｓにおける、制御信号Ｃaeにより指定された部分を抽出する処理が行われ、抽出された音声符号化データＤacが記録手段７に出力される。
【００７６】
そして、上記映像符号化手段４にて生成された映像再符号化データＤvrc及び上記音声データ抽出手段１６により抽出された音声符号化データＤacは、記録手段７にて第２の記録媒体であるメモリカード８に記録される。
【００７７】
つまり、この実施の形態２の信号処理装置１０２では、第１の記録媒体（光ディスク）１に記録されている映像符号化データは、その符号化方式をＭＰＥＧ方式からＪＰＥＧ方式に変換して第２の記録媒体（メモリカード）８に記録され、第１の記録媒体（光ディスク）１に記録されている音声符号化データは、符号化方式の変換を行わずに、ＡＣ３方式により符号化された状態のままメモリカード８に記録されることとなる。
【００７８】
このように本実施の形態２の信号処理装置１０２では、第１の記録媒体である光ディスク１に記録されているＭＰＥＧストリームＤｓを読み出す読出手段２と、読み出されたＭＰＥＧストリームに含まれる、ＭＰＥＧ２方式の映像符号化データを復号する映像復号手段３と、読み出されたＭＰＥＧストリームから、ＡＣ３方式の音声符号化データを抽出する音声データ抽出手段１６とを備え、ユーザ操作により指定されたフレームの画像に対応する映像復号データを、ＪＰＥＧ方式により再符号化して、第２の記録媒体であるメモリカード８に記録するとともに、ＭＰＥＧストリームに含まれる、指定されたフレームの画像に対応する音声符号化データをそのままメモリカード８に記録するので、ＭＰＥＧストリームのダビングの際には、映像符号化データを符号化方式を変更して記録し、音声符号化データを、その再符号化処理を行うことなく記録することができる。この結果、ダビング処理における音声符号化データに対する再符号化に要するデータ処理を削減することができる。
【００７９】
なお、上記実施の形態２の信号処理装置１０２では、光ディスク１に記録されているデータをメモリカード８にダビングする際、メモリカード８には、映像符号化データ及び音声符号化データの両方を記録するようにいるが、メモリカード８には、映像符号化データのみ記録するようにしてもよい。
【００８０】
（実施の形態３）
図４は本発明の実施の形態３による信号処理装置を説明するための図である。
この実施の形態３の信号処理装置１０３は、上記実施の形態１の信号処理装置１０１における映像復号手段３及び映像符号化手段４に代えて、光ディスク１から読み出されたＭＰＥＧストリームＤｓから映像符号化データＤvcを抽出して、記録手段７に出力する映像データ抽出手段１７と、上記ＭＰＥＧストリームＤｓを受け、該ストリームに含まれる映像符号化データＤvcを抽出し、映像符号化データＤvcを復号して映像復号データＤvdを上記Ｄ／Ａコンバータ１１に出力する映像復号手段３ａとを備えたものである。また、この実施の形態３の信号処理装置１０３における制御手段９ｃは、実施の形態１における映像符号化手段４に対する制御信号Ｃvcに代えて、上記映像データ抽出手段１７に対する制御信号Ｃveを出力する点のみ、実施の形態１の制御手段９ａと異なっている。
そして、この実施の形態３の信号処理装置１０３におけるその他の部分は、実施の形態１の信号処理装置１０１におけるものと同一である。
【００８１】
次に動作について説明する。
このような構成の信号処理装置１０３では、ユーザの操作により、第１の記録媒体である光ディスク１に記録されているデータを第２の記録媒体であるメモリカード８にダビングする処理が指令されると、信号処理装置１０３では、ユーザの操作により指定された映像符号化データ及び音声符号化データが、第２の記録媒体であるメモリカード８に記録される。
なお、この実施の形態３の信号処理装置１０３では、光ディスク１に記録されているデータを再生する処理は、実施の形態１の信号処理装置１０１におけるものと全く同一である。
【００８２】
以下、この実施の形態３のダビング処理について説明する。
上記信号処理装置１０３では、制御手段９ｃからの制御信号に基づいて、光ディスク１からＭＰＥＧストリームＤｓが読み出され、該ＭＰＥＧストリームＤｓに含まれる映像符号化データ及び音声符号化データはそれぞれ、映像復号手段３ａび音声復号手段５にて復号される。そして、映像復号データＤvd及び音声復号データＤadはそれぞれＤ／Ａコンバータ１１及び１３にてＤＡ変換されて、アナログ映像信号Ｓｖ及びアナログ音声信号ＳａはそれぞれＴＶモニタ１２及びスピーカ１４に出力される。
【００８３】
このとき、音声符号化手段６では、制御手段９ｃからの制御信号Ｃacに基づいて、ベースバンドの音声信号Ｄadにおける、該制御信号Ｃacにより指定された部分を符号化する再符号化処理が行われ、該再符号化処理により得られた音声符号化データＤarcが記録手段７に出力される。また、映像データ抽出手段１７では、制御手段９ｃからの制御信号Ｃveに基づいて、ＭＰＥＧストリームＤｓにおける、制御信号Ｃveにより指定された部分を抽出する処理が行われ、抽出された映像符号化データＤvcが記録手段７に出力される。
そして、上記音声符号化手段６にて生成された音声再符号化データＤarc及び上記映像データ抽出手段１７により抽出された映像符号化データＤvcは、記録手段７にて第２の記録媒体であるメモリカード８に記録される。
【００８４】
つまり、この実施の形態３の信号処理装置１０３では、第１の記録媒体（光ディスク）１に記録されている音声符号化データは、その符号化方式をＡＣ３方式からＡＡＣ方式に変換して第２の記録媒体（メモリカード）８に記録され、第１の記録媒体（光ディスク）１に記録されている映像符号化データは、符号化方式の変換を行わずに、ＭＰＥＧ２方式により符号化された状態のままメモリカード８に記録されることとなる。例えば、メモリカード８には、ＭＰＥＧストリームにおける指定された部分に対応する動画（複数のフレーム）のデータまたは静止画（１フレーム）のデータを記録することが可能となる。ここで、メモリカード８に１フレームのデータを記録する場合は、記録するフレームは、フレーム内符号化されたフレームであることが望ましい。
【００８５】
このように本実施の形態３の信号処理装置１０３では、第１の記録媒体である光ディスク１に記録されているＭＰＥＧストリームＤｓを読み出す読出手段２と、読み出されたＭＰＥＧストリームからＡＣ３方式の音声符号化データを抽出して復号する音声復号手段５と、上記読み出されたＭＰＥＧストリームから、ＭＰＥＧ−２方式の映像符号化データを抽出する映像データ抽出手段１７とを備え、ユーザ操作により指定されたフレームの画像に対応する音声復号データを、ＡＡＣ方式により再符号化して、第２の記録媒体であるメモリカード８に記録するとともに、ＭＰＥＧストリームに含まれる、指定されたフレームの画像に対応する映像符号化データをそのままメモリカード８に記録するので、ＭＰＥＧストリームのダビングの際には、音声符号化データを符号化方式を変更して記録し、映像符号化データを、その再符号化処理を行うことなく記録することができる。この結果、ダビング処理における音声符号化データに対する再符号化に要する信号処理を削減することができる。
【００８６】
なお、上記実施の形態３の信号処理装置１０３では、光ディスク１に記録されているデータをメモリカード８にダビングする際、メモリカード８には、映像符号化データ及び音声符号化データの両方を記録するようにいるが、メモリカード８には、音声符号化データのみ記録するようにしてもよい。
【００８７】
（実施の形態４）
図５は本発明の実施の形態４による信号処理装置を説明するための図である。
この実施の形態４の信号処理装置１０４は、上記実施の形態１の信号処理装置１０１の映像復号手段３と映像符号化手段４との間に設けられ、制御信号Ｃreに基づいて、映像復号手段３から出力される映像復号データＤvdに対して解像度変換処理を施し、解像度変換処理により得られた映像データＤrcを上記映像符号化手段４に出力する解像度変換手段１８を備えたものである。この実施の形態４の制御手段９ｄは、解像度変換手段１８に対する制御信号Ｃreを生成する点のみ実施の形態１の制御手段９ａと異なっている。
【００８８】
上記解像度変換手段１８は、具体的には、映像復号手段３から出力された映像復号データＤvdに対して、１フレームを構成する画素を間引く処理を施すことにより、該映像復号データＤvdの解像度もしくは信号フォーマットを変換するものである。例えば、該解像度変換手段１８は、１フレームの映像データを構成する画素値を、１フレームにおける水平方向の画素数が２分の１，３分の１、または３分の２となるよう、あるいは１フレームにおける垂直方向の画素数が２分の１等の割合で減少するようまびく処理を行うものである。なお、この解像度変換手段１８は、１フレームにおける水平方向の画素数及び垂直方向の画素数が一定の比率で減少するよう、１フレームの画像データを構成する画素値を間引く処理を行って、例えば、ハイビジョン等のＨＤ（High Definition）信号を、ＳＤ（Standard Definition）等の標準信号に変換するものであってもよい。
【００８９】
さらにこの実施の形態４の信号処理装置１０４は、実施の形態１における第２の記録媒体であるメモリカード８に代えて、光ディスク１ａ及びこれを駆動する駆動手段１０ａとを備えたものである。なお、第２の記録媒体としての光ディスク１ａは、第１の記録媒体としての光ディスク１と、別の光ディスクであっても、同一の光ディスクであってもよい。
そして、この実施の形態４の信号処理装置１０４におけるその他の部分は、実施の形態１の信号処理装置１０１におけるものと同一である。
【００９０】
次に動作について説明する。
この実施の形態４の信号処理装置１０４の動作は、映像復号手段３から出力された映像復号データＤvdを解像度変換して映像符号化手段４に出力する点のみ実施の形態１の信号処理装置１０１の動作と異なっている。
つまり、光ディスク１から読み出されたＭＰＥＧストリームＤｓが映像復号手段３に入力されると、該映像復号手段３では、ＭＰＥＧストリームからＭＰＥＧ２方式により符号化された映像信号符号化データを抽出して、該映像信号符号化データを復号する復号処理が行われ、該復号処理により得られたベースバンドの映像信号Ｄvdは、Ｄ／Ａコンバータ１１及び解像度変換手段１８に供給される。該Ｄ／Ａコンバータ１１に供給された映像信号Ｄvdはアナログ信号に変換され、ＴＶモニタ１２に出力される。
【００９１】
一方、解像度変換手段１８では、制御手段９ｄからの制御信号Ｃreに基づいて、入力された映像信号Ｄvdに対して、１フレームに対応する画像データの画素値を、１フレームの画像の水平方向あるいは垂直方向における画素数が減少するよう間引く処理が施され、解像度もしくは信号フォーマットが変換された解像度変換映像データＤrcが映像符号化手段４に出力される。
【００９２】
すると、映像符号化手段４では、実施の形態１と同様、制御手段９ｄからの制御信号Ｃvcに基づいて、ＭＰＥＧストリームに対応する解像度変換映像データＤrcにおける、該制御信号により指定されたフレームに対応する部分を、決められた符号化方式により符号化する再符号化処理が行われる。ここで、再符号化処理における符号化方式は、光ディスク１に記録されているＭＰＥＧストリームに含まれる映像符号化データの符号化方式と同じＭＰＥＧ方式であっても、該ＭＰＥＧストリームに含まれる映像符号化データの符号化方式とは異なるＪＰＥＧ方式であってもよい。
【００９３】
また、光ディスク１から読み出されたＭＰＥＧストリームＤｓに含まれる音声符号化データは、実施の形態１と同様、音声復号手段５にて復号処理が施され、該復号処理により得られたベースバンドの音声信号ＤadはＤ／Ａコンバータ１３及び音声符号化手段６に供給される。該Ｄ／Ａコンバータ１３に供給された音声信号Ｄadはアナログ信号に変換され、スピーカ１４に出力される。音声符号化手段６では、制御手段９ｄからの制御信号Ｃacに基づいて、ＭＰＥＧストリームに対応する音声復号データ（つまりベースバンド音声信号）Ｄadにおける、該制御信号により指定されたフレームに対応する部分を、決められた符号化方式により符号化する再符号化処理が行われる。
【００９４】
なお、音声復号データの再符号化の際には、実施の形態１で述べたように、符号化方式として、第１の記録媒体に記録されている音声符号化データの符号化方式と異なる方式を用いても、または実施の形態２で述べたように、第１の記録媒体に記録されている音声符号化データの符号化方式と同じ方式を用いてもよい。そして、再符号化処理により得られた映像符号化データＤvc及び音声符号化データＤacは記録手段７に入力され、該記録手段７により第２の記録媒体である光ディスク１ａに記録される。
【００９５】
このように本実施の形態４では、第１の記録媒体である光ディスク１に記録されているＭＰＥＧストリームＤｓを読み出す読出手段２と、読み出されたＭＰＥＧストリームに含まれる、ＭＰＥＧ２方式の映像符号化データを復号する映像復号手段３と、読み出されたＭＰＥＧストリームに含まれる、ＡＡＣ方式の音声符号化データを復号する音声復号手段５と、映像復号手段３から出力される映像復号データＤvdに対して解像度変換処理を施す解像度変換手段１８とを備え、解像度変換処理により得られた映像データＤrcを再符号化して記録媒体に記録するので、映像符号化データをダビングする際、第１の記録媒体に記録されている映像符号化データを、これが持つ解像度または信号フォーマットを変換して第２の記録媒体に記録することが可能となる。
【００９６】
なお、上記実施の形態４では、映像データに対する解像度変換処理として、単に１フレーム（画面）の水平方向あるいは垂直方向における画素数が一定の割合で減少するよう、１フレームの画像データを構成する画素値を間引く処理を示したが、映像データに対する解像度変換処理は、１画面における有効でない画素に対応する画素値を間引いて、１画面（フレーム）の一部の領域に対応する画素値のみを選択するものであってもよい。この場合、１画面における指定された領域に対応する画像データのみを再符号化することが可能となる。
また、上記各実施の形態では、ＭＰＥＧストリームとして、トランスポートストリーム（ＴＳ）、プログラムストリーム（ＰＳ）等を示したが、ＭＰＥＧストリームはこれらに限るものではない。
【００９７】
また、上記各実施の形態では、第１の記録媒体にＭＰＥＧストリームとして記録されている映像符号化データのＭＰＥＧ符号化方式としてＭＰＥＧ２方式を示したが、このＭＰＥＧ符号化方式は、ＭＰＥＧ１方式、ＭＰＥＧ４方式、ＭＰＥＧ７方式等であってもよい。
また、上記各実施の形態では、第１の記録媒体にＭＰＥＧストリームとして記録されている音声符号化データに対する符号化方式として、ＡＣ３方式を挙げたが、この音声符号化データに対する符号化方式はこれに限るものではなく、例えば、ＭＰＥＧ１あるいはＭＰＥＧ２対応の音声符号化方式、またはＡＡＣ方式、ＰＣＭ方式等であってもよい。
【００９８】
また、上記各実施の形態では、音声データの再符号化処理に用いる符号化方式としてＡＡＣ方式を挙げたが、音声データの再符号化処理に用いる符号化方式はこれに限るものではなく、例えば、ＭＰＥＧ１あるいはＭＰＥＧ２に対応した音声符号化方式、またはＰＣＭ方式等、第１の記録媒体に記録されている音声符号化データの符号化方式（例えばＡＣ３）と異なる方式であればよい。
【００９９】
また、上記各実施の形態では、映像データの再符号化処理に用いる符号化方式として、ＪＰＥＧ方式を挙げたが、映像データの再符号化処理に用いる符号化方式はこれに限るものではなく、例えば、Ｈ．２６１方式、Ｈ．２６３方式、ウェーブレット方式等、第１の記録媒体に記録されている映像符号化データの符号化方式（例えばＭＰＥＧ２方式）と異なる方式であればよい。
【０１００】
また、上記各実施の形態では、第１の記録媒体として、光ディスクを例にあげたが、第１の記録媒体は光ディスクに限るものではなく、ハードディスク、光磁気ディスク、磁気ディスク、半導体メモリ、あるいは磁気テープであってもよい。
【０１０１】
また、上記各実施の形態１〜３では、第２の記録媒体として、半導体メモリであるメモリカード８を例に挙げたが、第２の記録媒体はこれらのものに限るものではなく、例えば、ハードディスク、光ディスク、光磁気ディスク、または磁気ディスクまたは磁気テープであってもよい。
また、上記各実施の形態では、第１の記録媒体と第２の記録媒体が別々の記録媒体である場合について説明したが、これらの記録媒体は同一のものであってもよい。
また、上記実施の形態１及び４では、第１の記録媒体に記録されている映像符号化データ及び音声符号化データの両方を第２の記録媒体に記録するようにしているが、映像符号化データ及び音声符号化データの一方のみ第２の記録媒体に記録するようにしてもよい。
【０１０２】
【発明の効果】
以上のように本発明に係る信号処理装置によれば、音声符号化データと映像符号化データとを多重化して得られた多重データが記録されている第１の記録媒体から、データを読み出して第２の記録媒体に記録する信号処理方法であって、上記第１の記録媒体から上記多重データを読み出す読出ステップと、該読み出した多重データに含まれる音声符号化データ及び映像符号化データの少なくとも一方を復号して復号データを生成する復号ステップと、上記復号データを、上記音声符号化データの符号化処理に用いた第１の符号化方式及び上記映像符号化データの符号化処理に用いた第２の符号化方式とは異なる符号化方式により、再符号化して再符号化データを生成する再符号化ステップと、該再符号化データを上記第２の記録媒体に記録する記録ステップとを含むことを特徴とするので、ＭＰＥＧストリームとして多重化されて記録されている音声データ及び映像データの所要部分を、ユーザの指定に応じて選択してダビングすることができる効果がある。
【０１０３】
本発明によれば、上記信号処理方法において、上記復号ステップは、上記読み出した多重データに含まれる音声符号化データの少なくとも一部を復号して音声復号データを生成するステップであり、上記再符号化ステップは、上記音声復号データを、上記第１の符号化方式と異なる第３の符号化方式により再符号化して、音声再符号化データを、上記再符号化データとして生成するステップであることを特徴とするので、第１の記録媒体に記録されているＭＰＥＧストリームなどに含まれる音声符号化データを、その符号化方式を第２の記録媒体に最適な符号化方式に変換して、デジタルダビングすることができる効果がある。
【０１０４】
本発明によれば、上記信号処理方法において、上記復号ステップは、上記読み出した多重データに含まれる映像符号化データの少なくとも一部を復号して映像復号データを生成するステップであり、上記再符号化ステップは、上記映像復号データを、上記第２の符号化方式と異なる第４の符号化方式により再符号化して、映像再符号化データを、上記再符号化データとして生成するステップであることを特徴とするので、第１の記録媒体に記録されているＭＰＥＧストリームなどに含まれる映像符号化データを、その符号化方式を第２の記録媒体に最適な符号化方式に変換して、デジタルダビングすることができる効果がある。
【０１０５】
本発明によれば、上記信号処理方法において、上記復号ステップは、上記読み出した多重データに含まれる映像符号化データの少なくとも一部を復号して映像復号データを生成するものであり、上記再符号化ステップは、上記映像復号データを、上記第２の符号化方式とは異なる第４の符号化方式により再符号化して映像再符号化データを生成するステップであり、上記記録ステップは、上記読み出した多重データに含まれる音声符号化データの少なくとも一部と、上記映像再符号化データとを、上記第２の記録媒体に記録するステップであることを特徴とするので、第１の記録媒体に記録されているＭＰＥＧストリームなどに含まれる映像符号化データ及び音声符号化データを、該映像符号化データの符号化方式のみを第２の記録媒体に最適な符号化方式に変換して、デジタルダビングすることができる効果がある。
【０１０６】
本発明によれば、上記信号処理方法において、上記復号ステップは、上記読み出した多重データに含まれる音声符号化データの少なくとも一部を復号して音声復号データを生成するステップであり、上記再符号化ステップは、上記音声復号データを、上記第１の符号化方式とは異なる第３の符号化方式により再符号化して、音声再符号化データを生成するステップであり、上記記録ステップは、上記読み出した多重データに含まれる映像符号化データの少なくとも一部と、上記音声再符号化データとを、上記第２の記録媒体に記録するステップであることを特徴とするので、第１の記録媒体に記録されているＭＰＥＧストリームなどに含まれる映像符号化データ及び音声符号化データを、該音声符号化データの符号化方式のみを第２の記録媒体に最適な符号化方式に変換して、デジタルダビングすることができる効果がある。
【０１０７】
本発明によれば、上記信号処理方法において、上記復号ステップは、上記読み出した多重データに含まれる音声符号化データの少なくとも一部及び映像符号化データの少なくとも一部をそれぞれ復号して、音声復号データ及び映像復号データを生成するものであり、上記再符号化ステップは、上記音声復号データを、上記第１の符号化方式とは異なる第３の符号化方式により再符号化して、音声再符号化データを生成するとともに、上記映像復号データを、上記第２の符号化方式とは異なる第４の符号化方式により再符号化して、映像再符号化データを生成するステップであり、上記記録ステップは、上記音声再符号化データ及び上記映像再符号化データを、上記第２のデータ記録媒体に記録するステップであることを特徴とするので、第１の記録媒体に記録されているＭＰＥＧストリームなどに含まれる映像符号化データ及び音声符号化データを、該各符号化データの符号化方式をそれぞれ、第２の記録媒体に最適な符号化方式に変換して、デジタルダビングすることができる効果がある。
【０１０８】
本発明によれば、上記信号処理方法において、上記第２の符号化方式はＭＰＥＧ方式であり、上記第４の符号化方式はＪＰＥＧ方式であることを特徴とするので、第１の記録媒体に記録されているＭＰＥＧストリームなどに含まれる映像符号化データを、その符号化方式であるＭＰＥＧ方式を第２の記録媒体に最適な符号化方式であるＪＰＥＧ方式に変換して、デジタルダビングすることができる効果がある。
【０１０９】
本発明によれば、上記信号処理方法において、上記映像符号化データは、映像信号を上記第２の符号化方式としてＭＰＥＧ方式を用いて符号化して得られたものであり、上記復号ステップは、上記読み出した多重データに含まれる映像符号化データの、少なくとも１フィールドあるいは１フレームに対応する特定部分を復号して、映像復号データを生成するとともに、上記読み出した多重データに含まれる音声符号化データを、その上記特定部分に関連する部分から連続して一定のデータ量だけ復号して、音声復号データを生成するステップであり、上記再符号化ステップは、上記映像復号データの少なくとも一部をＪＰＥＧ方式により再符号化して映像再符号化データを生成するとともに、上記復号音声データを、上記第１の符号化方式とは異なる第３の符号化方式により再符号化して、音声再符号化データを生成するステップであることを特徴とするので、第１の記録媒体に記録されているＭＰＥＧストリームなどに含まれる映像符号化データの、指定された１画面に相当する部分を、その符号化方式であるＭＰＥＧ方式を第２の記録媒体に最適な符号化方式であるＪＰＥＧ方式に変換して、しかも、上記指定された画面に関連する複数の画面に対応する音声符号化データとともに、デジタルダビングすることができる効果がある。
【０１１０】
本発明に係る信号処理方法によれば、音声符号化データと映像符号化データとを多重化して得られた多重データが記録されている第１の記録媒体から、データを読み出して第２の記録媒体に記録する信号処理方法であって、上記第１の記録媒体から上記多重データを読み出す読出ステップと、上記読み出した多重データに含まれる映像符号化データの、少なくとも１フィールドまたは１フレームに対応する特定部分を復号して、映像復号データを生成するとともに、上記読み出した多重データに含まれる音声符号化データを、その上記特定部分に関連する部分から連続して一定のデータ量だけ復号して、音声復号データを生成する復号ステップと、上記映像復号データの少なくとも一部を、上記映像符号化データの符号化処理に用いたＭＰＥＧ方式とは異なるＪＰＥＧ方式により再符号化して映像再符号化データを生成するとともに、上記復号音声データを、上記音声符号化データの符号化処理に用いた第１の符号化方式とは異なる第３の符号化方式により再符号化して、音声再符号化データを生成する再符号化ステップと、上記映像再符号化データ及び上記音声再符号化データを上記第２の記録媒体に記録する記録ステップとを含むことを特徴とするので、第１の記録媒体に記録されているＭＰＥＧストリームなどに含まれる映像符号化データの、指定された１画面に相当する部分を、その符号化方式であるＭＰＥＧ方式を第２の記録媒体に最適な符号化方式であるＪＰＥＧ方式に変換して、しかも、上記指定された画面に関連する複数の画面に対応する音声符号化データとともに、デジタルダビングすることができる効果がある。
【０１１１】
本発明に係る信号処理方法によれば、音声符号化データと映像符号化データとを多重化して得られた多重データが記録されている第１の記録媒体から、データを読み出して第２の記録媒体に記録する信号処理方法であって、上記第１の記録媒体から上記多重データを読み出す読出ステップと、該読み出された多重データに含まれる映像符号化データの少なくとも一部を復号して映像復号データを生成する復号ステップと、上記映像復号データに対して、画素値を間引く解像度変換処理、あるいはデータフォーマットを変換する変換処理を施して、変換済映像データを生成する変換ステップと、上記変換済映像データを再符号化して映像再符号化データを生成する再符号化ステップと、上記映像再符号化データを上記第２の記録媒体に記録する記録ステップとを含むことを特徴とするので、映像符号化データをダビングする際、第１の記録媒体に記録されている映像符号化データを、これが持つ解像度または信号フォーマットを変換して第２の記録媒体に記録することが可能となる。
【０１１２】
本発明に係る信号処理装置によれば、音声符号化データと映像符号化データとを多重化して得られた多重データが記録されている第１の記録媒体から、データを読み出して第２の記録媒体に記録する信号処理装置であって、上記第１の記録媒体から上記多重データを読み出す読出手段と、該読み出した多重データに含まれる音声符号化データ及び映像符号化データの少なくとも一方を復号して復号データを出力する復号手段と、上記復号データを、上記音声符号化データの符号化処理に用いた第１の符号化方式及び上記映像符号化データの符号化処理に用いた第２の符号化方式とは異なる符号化方式により、再符号化して再符号化データを出力する再符号化手段と、該再符号化データを上記第２の記録媒体に記録する記録手段とを備えたことを特徴とするので、ＭＰＥＧストリームとして多重化されて記録されている音声データ及び映像データの所要部分を、ユーザの指定に応じて選択してダビングすることができる効果がある。
【０１１３】
本発明に係る信号処理装置によれば、音声符号化データと映像符号化データとを多重化して得られた多重データが記録されている第１の記録媒体から、データを読み出して第２の記録媒体に記録する信号処理装置であって、上記第１の記録媒体から上記多重データを読み出す読出手段と、上記読み出した多重データに含まれる映像符号化データの、少なくとも１フィールドまたは１フレームに対応する特定部分を復号して、映像復号データを出力する映像復号手段と、上記読み出した多重データに含まれる音声符号化データを、その上記特定部分に関連する部分から連続して一定のデータ量だけ復号して、音声復号データを出力する音声復号手段と、上記映像復号データの少なくとも一部を、上記映像符号化データの符号化処理に用いたＭＰＥＧ方式とは異なるＪＰＥＧ方式により再符号化して映像再符号化データを出力する映像符号化手段と、上記復号音声データを、上記音声符号化データの符号化処理に用いた第１の符号化方式とは異なる第３の符号化方式により再符号化して、音声再符号化データを生成する音声符号化手段と、上記映像再符号化データ及び上記音声再符号化データを上記第２の記録媒体に記録する記録手段とを備えたことを特徴とするので、第１の記録媒体に記録されているＭＰＥＧストリームなどに含まれる映像符号化データの、指定された１画面に相当する部分を、その符号化方式であるＭＰＥＧ方式を第２の記録媒体に最適な符号化方式であるＪＰＥＧ方式に変換して、しかも、上記指定された画面に関連する複数の画面に対応する音声符号化データとともに、デジタルダビングすることができる効果がある。
【０１１４】
本発明に係る信号処理装置によれば、音声符号化データと映像符号化データとを多重化して得られた多重データが記録されている第１の記録媒体から、データを読み出して第２の記録媒体に記録する信号処理装置であって、上記第１の記録媒体から上記多重データを読み出す読出手段と、該読み出された多重データに含まれる映像符号化データの少なくとも一部を復号して映像復号データを生成する映像復号手段と、上記映像復号データに対して、画素値を間引く解像度変換処理、あるいはデータフォーマットを変換する変換処理を施して、変換済映像データを生成するデータ変換手段と、上記変換済映像データを再符号化して映像再符号化データを生成する符号化手段と、上記映像再符号化データを上記第２の記録媒体に記録する記録手段とを備えたことを特徴とするので、映像符号化データをダビングする際、第１の記録媒体に記録されている映像符号化データを、これが持つ解像度または信号フォーマットを変換して第２の記録媒体に記録することが可能となる。
【図面の簡単な説明】
【図１】本発明の実施の形態１による信号処理装置を説明するブロック図である。
【図２】上記実施の形態１の信号処理装置における信号処理を説明するための図である。
【図３】本発明の実施の形態２による信号処理装置を説明するブロック図である。
【図４】本発明の実施の形態３による信号処理装置を説明するブロック図である。
【図５】本発明の実施の形態４よる信号処理装置を説明するブロック図である。
【図６】従来の信号処理装置によりダビングするＭＰＥＧストリームのデータ構造を説明するための模式図である。
【図７】従来の信号処理装置を説明するためのブロック図である。
【符号の説明】
１，２６  光ディスク（第１の記録媒体）
２  読出手段
３，３ａ  映像復号手段
４  映像符号化手段
５，５ａ  音声復号手段
６  音声符号化手段
７  記録手段
８  メモリカード（第２の記録媒体）
９ａ，９ｂ，９ｃ，９ｄ，２８  制御手段
１０，２７  駆動手段
１１，１３  Ｄ／Ａコンバータ
１２  ＴＶモニタ
１４  スピーカ
１５，２９  ユーザ操作部
１６  音声データ抽出手段
１７  映像データ抽出手段
１８  解像度変換手段
１０１，１０２，１０３，１０４  信号処理装置
Ｃac，Ｃre，Ｃvc，Ｃd1，Ｃd2  制御信号
Ｄarc  音声再符号化データ
Ｄatc  圧縮音声データ
Ｄad  音声復号データ
Ｄｓ  ＭＰＥＧストリーム
Ｄvrc  映像再符号化データ
Ｄvtc  圧縮映像データ
Ｄvd  映像復号データ
Ｄｗ  書込データ
Ｓａ  アナログ音声信号
Ｓop，Ｓop1，Ｓop2  操作信号
Ｓｖ  アナログ映像信号
【図１】
0004510337.tif 000002
【図２】
0004510337.tif 000003
【図３】
0004510337.tif 000004
【図４】
0004510337.tif 000005
【図５】
0004510337.tif 000006
【図６】
0004510337.tif 000007
【図７】
0004510337.tif 000008